(57)【要約】      （修正有）【課題】  ユーザが再生されている動画像データの全容を容易に把握でき、所望のシーンをより簡単に検索することを可能とする。【解決手段】  撮像装置１００は、動画像データとともに、再生時における当該動画像データとは異なるその一又は複数の任意の部分データを夫々複数の画面（本画面、子画面）上で再生表示させる。さらに、表示装置を用いて動画像データを再生表示させる画像再生装置であって、前記動画像データを複数の画面上において夫々異なる速度で再生表示させる再生手段を有する。【選択図】  図１
2005175525.tif 000002
【特許請求の範囲】
【請求項１】
表示装置を用いて動画像データを再生表示させる画像再生装置であって、
前記動画像データとともに、再生時における前記動画像データとは異なる前記動画像データの一又は複数の任意の部分データを夫々複数の画面上で再生表示させる再生手段を有することを特徴とする画像再生装置。
【請求項２】
前記部分データには、前記動画像データの終了部分のデータが含まれることを特徴とする請求項１に記載の画像再生装置。
【請求項３】
前記再生手段は、前記部分データを繰り返し再生表示させることを特徴とする請求項１又は２に記載の画像再生装置。
【請求項４】
前記部分データには、前記動画像データの再生シーンの前シーン及び後シーンの少なくとも何れか一つに対応するデータが含まれることを特徴とする請求項１に記載の画像再生装置。
【請求項５】
前記再生手段は、前記動画像データの再生時間に連動した位置に前記部分データの再生画面を表示させることを特徴とする請求項１乃至４の何れか１項に記載の画像再生装置。
【請求項６】
前記像画像データ及び前記部分データは、ランダムアクセス可能な記録媒体に記録されたデータであることを特徴とする請求項１乃至５の何れか１項に記載の画像再生装置。
【請求項７】
表示装置を用いて動画像データを再生表示させる画像再生装置であって、
前記動画像データを複数の画面上において夫々異なる速度で再生表示させる再生手段を有することを特徴とする画像再生装置。
【請求項８】
前記再生手段は、前記複数の画面のうち少なくとも一つの画面上において前記動画像データを所定の速度で再生させるとともに、他の画面上において前記所定の速度より高速度で前記動画像データを再生表示させることを特徴とする請求項７に記載の画像再生装置。
【請求項９】
前記再生手段は、前記他の画面上においては前記動画像データを高速度で繰り返し再生表示させることを特徴とする請求項８に記載の画像再生装置。
【請求項１０】
前記像画像データ及び前記部分データは、ランダムアクセス可能な記録媒体に記録されたデータであることを特徴とする請求項７乃至９の何れか１項に記載の画像再生装置。
【請求項１１】
画像再生装置による表示装置を用いた動画像データの再生表示方法であって、
前記動画像データとともに、再生時における前記動画像データとは異なる前記動画像データの一又は複数の任意の部分データを夫々複数の画面上で再生表示させることを特徴とする画像再生方法。
【請求項１２】
画像再生装置による表示装置を用いた動画像データの再生表示方法であって、
前記動画像データを複数の画面上において夫々異なる速度で再生表示させることを特徴とする画像再生方法。
【請求項１３】
請求項１１又は１２に記載の画像再生方法をコンピュータに実行させるためのプログラム。
【請求項１４】
請求項１３に記載のプログラムを記録したコンピュータ読み取り可能な記録媒体。
【発明の詳細な説明】
【技術分野】
【０００１】
本発明は、表示装置を用いて動画像データを再生表示させる技術に関するものである。
【背景技術】
【０００２】
従来、テープ媒体を用いたビデオカメラなどの記録再生装置では、記録されたシーンの再生表示方法として、ビデオカメラ本体にあるＬＣＤ、ＥＶＦ等の表示装置、及び、モニタ出力端子に、ただ１つの本画像動画を表示することがほとんどであった。複数の画面表示方法としては、以前に再生された静止画を、ビデオカメラ内のメモリに保存し、その静止画を縮小して前記表示装置内に子画面として表示する機能を備えるものもあった。
【０００３】
近年、記憶媒体にハードディスク、磁気ディスク等を用いたビデオカメラが製品化され始めた。前記記録媒体を使用したビデオカメラ等では、各シーンが、ファイルとして記録媒体に保存できるため、再生時、各シーンのアクセスが比較的、容易かつ高速に行える。前記記録媒体を使用したビデオカメラの再生表示方法としては、各シーンのファイル内に静止画インテックスを記録しておき、前記インデックスを一覧表示して、その中から選択されたファイルを、ビデオカメラ本体にあるＬＣＤ（液晶ディスプレイ）、ＥＶＦ（電子ビューファインダ）等の表示装置、及び、モニタ出力端子に、ただ１つの本画像動画を表示することが一般的な機能である。この種の装置が特許文献１に記載されている。
【０００４】
また、記録される情報量は、記録される画質と記録サイズの増大で大きくなっている。しかし、それにもまして半導体技術の進歩により、記録媒体の容量は急速に増大している。例えば、カード型の記録媒体で２５６や５１２メガバイトの製品が出てきており、光磁気ディスクでは数ギガバイト、ハードディスクでは数十ギガバイトの記憶容量が安価で実現できている。そのため、記録装置としては記録可能時間が日増しに増大している。
【０００５】
【特許文献１】特開２００１−１９７４４５号公報
【発明の開示】
【発明が解決しようとする課題】
【０００６】
しかしながら、記録媒体の容量増加は、再生情報の増加と等しく、全ての情報を再生することに膨大な時間を費やすことになってしまう。また、真に鑑賞したいシーンは、記録媒体中のある一部にあることが一般的である。そのため、所望の撮影シーンを的確に検索できる手法、あるいは、最適な鑑賞プログラムが求められている。さらに、前記各撮影シーンの内容の把握が容易にし、必要なシーンがより簡単に検索できる機能が必要になっている。
【０００７】
従って、本発明の目的は、ユーザが再生されている動画像データの全容を容易に把握でき、所望のシーンをより簡単に検索可能とすることにある。
【課題を解決するための手段】
【０００８】
斯かる目的を達成するために、本発明の画像再生装置は、表示装置を用いて動画像データを再生表示させる画像再生装置であって、前記動画像データとともに、再生時における前記動画像データとは異なる前記動画像データの一又は複数の任意の部分データを夫々複数の画面上で再生表示させる再生手段を有することを特徴とする。
【０００９】
本発明の画像再生装置の他の態様は、表示装置を用いて動画像データを再生表示させる画像再生装置であって、前記動画像データを複数の画面上において夫々異なる速度で再生表示させる再生手段を有することを特徴とする。
【００１０】
本発明の動画像データの再生表示方法は、画像再生装置による表示装置を用いた動画像データの再生表示方法であって、前記動画像データとともに、再生時における前記動画像データとは異なる前記動画像データの一又は複数の任意の部分データを夫々複数の画面上で再生表示させることを特徴とする。
【００１１】
本発明の動画像データの再生表示方法の他の態様は、画像再生装置による表示装置を用いた動画像データの再生表示方法であって、前記動画像データを複数の画面上において夫々異なる速度で再生表示させることを特徴とする。
【００１２】
本発明のプログラムは、前記画像再生方法をコンピュータに実行させることを特徴とする。本発明のコンピュータ読み取り可能な記録媒体は、前記プログラムを記録したことを特徴とする。
【発明の効果】
【００１３】
本発明によれば、動画像データとともに、再生時における当該動画像データとは異なるその部分データを複数画面上で再生させるように、或いは、動画像データを複数の画面上において夫々異なる速度で再生表示させるように構成したので、ユーザが当該動画像データの内容を容易に把握することが可能となり、所望のシーンをより簡単に検索することができる。
【発明を実施するための最良の形態】
【００１４】
以下、本発明を適用した好適な実施形態を、添付図面を参照しながら詳細に説明する。
【００１５】
＜第１の実施形態＞
図１は、本発明の第１の実施形態に係る撮像装置の構成を示すブロック図である。
図１において、１００は撮像装置のブロック全体、１０１は映像を取り込むレンズ、１０２は映像を電気信号に変換する固体センサ、１０３はアナログデータをデジタルデータに変換するＡ／Ｄコンバータ、１０４はレンズ１０１を駆動するモータ、１０９は音声を取り込むマイク、１１０は音声を増幅するマイクアンプ、１１１は音声をデジタルデータに変換するＡ／Ｄコンバータ、１１２は撮像装置１００を操作する操作キー、１１３は映像を表示形式にする表示ドライバ、１１４は映像を表示するためのＬＣＤ、ＥＶＦ等の表示器、１１５は音声を出力するためのスピーカドライバ、１１６はスピーカ、１１７は諸情報を入出力する外部入出力端子、１２３は記録再生制御回路、１２４はＧＰＳ回路、温湿度回路等のセンサ、１２５は記憶媒体、１３０はシステムを制御するＣＰＵ、１２２は前記ＣＰＵ１３０とシステムのためのメモリ、１２１は撮像装置１００のための電源装置である。
【００１６】
先ず、図１のブロック図を用いて記録動作を説明する。
画像記録動作は、レンズ１０１を通って入射した被写体からの光は、固体センサ１０２で電気信号に変換される。そして、Ａ／Ｄコンバータ１０３よってサンプリングされてデジタルデータに変換される。前記デジタルデータは、デジタル映像信号としてＣＰＵ１３０に入力される。レンズ１０１は、オートフォーカス機能とズーム機能のため、ＣＰＵ１３０の制御命令でモータ１０４の駆動により移動する。また、固体センサ１０２からデータを引き出すためのタイミング信号は、ＣＰＵ１３０により生成される。
【００１７】
マイク１０９より得られた音声信号はマイクアンプ１１０で増幅され、Ａ／Ｄコンバータ１０３によりサンプリングされてデジタルデータに変換され、ＣＰＵ１３０に入力される。デジタル映像信号はＣＰＵ１３０で、色分離、白バランス、ガンマ補正、アパーチャ補正などの基本処理と、撮像装置１００の操作キー１１２で設定された、画像サイズ、画質調整、位置調整などの付加処理を行う。さらに、ＣＰＵ１０３は、設定された圧縮方法と圧縮パラメータによってＭＰＥＧ、ＭＪＰＥＧ、ＪＰＥＧ等の画像圧縮処理を行い、画像圧縮データを得る。音声データは、撮像装置１００の操作キー１１２で設定された、音質調整などの付加処理を行い、設定された圧縮方法と圧縮パラメータによって音声圧縮データを得る。画像圧縮データと音声圧縮データは、制御データと共に記録データとして記録再生制御回路１２３へと送られる。前記制御データとは、撮像装置自体の情報、画像、音声などの記録設定情報、撮影環境情報などの撮影付加情報を意味する。
【００１８】
記録再生制御回路１２３は、記録時には前記記録データを、ファイルシステムの管理のもとに、ファイルとして記録媒体１２５に書き込みを行う。ファイルシステムとは、ファイルの管理を行うための管理情報とファイルデータからなる構造体系を意味する。このファイルシステムを共通化することによって、異なった記憶媒体あるいは記録再生機器でも記録再生できるわけである。前記記録データは、必要に応じて外部入出力端子１１７に送られる。さらに、確認用として、表示ドライバ１１３を通して、表示器１１４に表示される。
【００１９】
撮像装置１００の電源は、電源１２１より供給され各回路ブロックに供給される。記録媒体１２５としては、ＭＭＣ、ＳＳＦＤＣ、コンパクトフラッシュ（Ｒ）、ＰＣカードなどのメモリカード、あるいはＦＤ、ＭＤ、ＤＶＤ−ＲＡＭなどの磁気（あるいは光磁気）記録メディアなどが考えられる。
【００２０】
記録媒体としての円盤状の光磁気ディスクを用いた場合、記録されるデータのイメージを説明する。図２は、円盤状の光磁気ディスク２００の外観図であり、記録データは同心円上に、デジタルデータとして記録される。図中Ａ部は、ディスク回転時にチャッキングするための穴である。図中Ｂ部は、ディスク内に書かれるデータの管理を行うデータを記録する管理領域である。図中Ｃ部は、実際の記録情報データが書かれるデータ領域である。図中Ｄ、Ｅ部は、実際の記録データが書かれる様子を示している。
【００２１】
管理領域には、ファイルシステム、ディスクＩＤ、ファイル（記録シーン）の属性、ファイルデータの実際の書かれている位置（セクタあるいはトラック）等が記録される。また、管理領域内に、前記撮影付加情報、プレイリストなどを記録することも可能である。撮像装置１００の操作キー１１２内の撮影開始、終了スイッチで記録開始から記録終了とした場合、撮像装置１００の規約に準じた、ファイル名の付いたファイルとして、記録媒体１２５に保存される。この連続記録された保存ファイルが、１つのシーンとして順次記録されていくわけである。前記ファイルには、ＭＰＥＧ等の動画圧縮ファイルの他に，音声圧縮ファイル、付加情報データ、動画データのインデックス画像となる静止画圧縮データなども保存される。
【００２２】
次に、図１のブロック図を用いて再生動作を説明する。
記録媒体１２５に記録されているファイル群の中で、操作者が選択したファイルを再生する場合、記録媒体１２５から、記録再生制御回路１２３の制御のもとに、指定ファイルが読み込まれる。読み込まれたデータは、ＣＰＵ１３０に送られ、読み込まれたデータの解析、分離が行われ、画像データ部、音声データ部、情報データ部等に分解される。画像データ部は、圧縮データならば伸張処理を行い、表示ドライバ１１３を通して、表示器１１４で表示される。音声データ部は、圧縮データならば伸張処理を行い、スピーカドライバ１１５を通してスピーカ１１６に送られる。情報データ内容によっては、画像データ、音声データのエフェクト、レタッチなどの加工処理を行う。また、必要に応じて、表示器１１４に表示されたりする。また、前記画像、音声、情報データは、外部入出力端子１１７にも送られる。
【００２３】
さらに、本実施形態における再生動作と表示動作を説明する。図３は本実施形態の再生表示例を示す図であり、３００ａは選択されたファイルを再生表示する親画面であり、３００ｂは後述する方式により表示再生される子画面を表している。
【００２４】
図４は、本発明の第１の実施形態における再生動作を説明するための図である。
同図において、（１）は選択再生されているシーンの再生表示をフィールドもしくはフレーム単位に時間軸で表示している。（２）は３００ａに示した親画面に再生表示される本画像再生の様子を時間軸に表示して、矢印は時間軸方向を表している。（３）は３００ｂに示した子画面に再生表示される子画面再生の様子を時間軸で表示して、矢印は時間軸方向を表している。
【００２５】
図４において、選択されたファイルの本画像再生表示は、通常速度での再生で親画面に再生される。これと平行して、子画面表示は、再生動作開始前に設定された、或いはデフォルト設定による任意の区間、つまり、図４の例ではシーン内ＦＡからＦＥまでのＴ１時間を、通常速度で再生する動画を表示する。
【００２６】
子画面再生は、シーン終了時点ＦＥに到達すると、再度ＦＡから再生をするように繰り返し再生する。この繰り返しは、本画像再生終了まで続行する。または、設定により繰り返し回数を決定することや、一回の子画面再生終了にすることもしてもよい。この場合の子画面再生終了方法としては、子画面を静止画表示でフリーズさせることや、子画面自体を消滅することが考えられる。
【００２７】
図５は、本実施形態に係る撮像装置１００の動作を示すフローチャートであり、シーン再生が開始され、Ｓ４０１において、再生動作に関する、回路、ソフト等の初期設定がなされる。Ｓ４０２にて、本動作にかかわる諸設定を行う。諸設定は、ユーザが操作キー、および操作パネルを通じて選択設定できる項目であり、・図４においての時間Ｔ１、・子画面の終了動作方法、・子画面のサイズ、・子画面の空間的解像度、・子画面の時間的解像度、・子画面の表示位置等である。また、ユーザ設定がなければ、デフォルト値をして値を設定する。
【００２８】
Ｓ４０３にて、シーンの親画面表示を行うべく記録媒体からメディアデータ１を読み込む、Ｓ４０４にてシーン終了かどうか判別する。読み出しデータがなければ再生処理終了へ、そうでなければＳ４０５に移行する。Ｓ４０５で子画面再生のためのメディアデータ２を読み込む。Ｓ４０６で子画面再生が終了かどうか判別する。読み出しデータがなければＳ４０７に移行し、そうでなければＳ４０８に移行する。Ｓ４０７では子画面再生の読み出しデータ位置を初期値に再設定しＳ４０８に移行する。Ｓ４０８で前記読み出されているメディアデータ１を画像表示する形態にデコード処理と画像処理を行い親画面として画像表示する。Ｓ４０９で前記読み出されているメディアデータ２を画像表示する形態にデコード処理と画像処理をおこない子画面として画像表示する。子画面の画像のリサイズ、親画面と子画面の画像合成はＣＰＵでの処理で画像バッファに展開する手法、または、画像処理回路等を用いる手法が適用できる。
【００２９】
Ｓ４１０で操作キーの停止、あるいは、シーン終了の検出があるかを判定する。終了と判定されれば再生終了処理をして本処理を終了する。そうでなければ、Ｓ４０３に戻り処理を続行する。Ｓ４０３からＳ４１０の繰り返し処理のタイミングは、フィールド、フレームのなどの同期タイミング、記録媒体からのデータ読み出しが所定のバッファ量に達してからの非同期タイミングのどちらを適用することもできる。また、親画像データの読み出し、子画像データの読み出し、親画像のデコード再生処理、子画像のデコード再生処理の手順は、親画像データの読み出し、親画像のデコード再生処理、子画像データの読み出し、子画像のデコード再生処理などの手順にすることも可能である。
【００３０】
上記では、図３を再生表示例として、ＬＣＤ、ＥＶＦ等の本体表示器、本体外部入力端子を経由しての外部表示器等、または、本体外部入力端子を経由して、ネットワーク上にある端末や表示装置等に、親子画面として表示する例を示したが、本画面はＬＣＤ、ＥＶＦ等の本体表示器、子画面は本体外部入力端子を経由しての外部表示器、端末、表示装置等に分離表示することも適用できる。または、子画面はＬＣＤ、ＥＶＦ等の本体表示器、本画面は本体外部入力端子を経由しての外部表示器、端末、表示装置等に分離表示することにも適用できる。この時は、子画面はリサイズせずに表示してもよい。
【００３１】
以上のように、本実施形態によれば１つのファイルを先頭から再生しながら、同じファイルの任意の部分（例えば、終了部分のシーン等）を同時に再生して合成表示することによって、撮影シーンの任意部分の動画再生画が逐次確認できるようになる。これにより、たとえば、現在の再生シーンはどこまで継続しているかが視覚的に把握できるように、シーン内容の把握が容易になり、所望のシーンをより簡単に検索することが可能となる。また、特に民生用ビデオカメラ等では、従来になかった、高付加価値のある機能を提供できる効果がある。
【００３２】
＜第２の実施形態＞
次に、本発明の第２の実施形態について説明する。
本実施形態に係る撮像装置の構成は図１に示した構成と同様であるので説明は省略する。図６は本実施形態における再生動作を説明するための図である。同図において、（１）は選択再生されているシーンの再生表示をフィールドもしくはフレーム単位に時間軸で表示している。（２）は図３の３００ａに示した親画面に再生表示される本画像再生の様子を時間軸に表示して、矢印は時間軸方向を表している。（３）は図３の３００ｂに示した子画面に再生表示される子画面再生の様子を時間軸で表示して、矢印は時間軸方向を表している。
【００３３】
図６において、選択されたファイルの本画像再生表示は、通常速度での再生で親画面に再生される。これと平行して、子画面表示は、再生動作開始前に設定された、或いはデフォルト設定による任意の再生速度（例えば、親画面の再生速度より高速）で、選択再生されているシーンと同じ範囲のシーン先頭からシーン終了までの動画再生を行う。
【００３４】
子画面再生は、シーン終了時点に到達すると、再度、先頭シーンから再生をするように繰り返し再生する。この繰り返しは、本画像再生終了まで続行する。または、設定により繰り返し回数を決定することや、一回の子画面再生終了にすることもしてもよい。この場合の子画面再生終了方法としては、子画面を静止画表示でフリーズさせることや、子画面自体を消滅することが考えられる。
【００３５】
次に、本実施形態に係る撮像装置１００の動作を図５のフローチャートを用いて説明する。
シーン再生が開始され、Ｓ４０１において再生動作に関する、回路、ソフト等の初期設定がなされる。Ｓ４０２にて、本動作にかかわる諸設定を行う。諸設定は、ユーザが操作キー、および操作パネルを通じて選択設定できる項目であり、・子画面再生の速度、・子画面の終了動作方法、・子画面のサイズ、・子画面の空間的解像度、・子画面の時間的解像度、・子画面の表示位置等である。また、ユーザ設定がなければ、デフォルト値をして値を設定する。さらに、シーン時間に合わせて、最適な再生速度を自動設定することも適応できる。最適な速度の算出は、例えば、シーン時間が短い時は、低速度設定。シーン時間が長い時は、高速度設定を方式が考えられる。
【００３６】
Ｓ４０３にて、シーンの親画面表示を行うべく記録媒体からメディアデータ１を読み込む、Ｓ４０４にてシーン終了かどうか判別する。読み出しデータがなければ再生処理終了へ、そうでなければＳ４０５に移行する。Ｓ４０５で子画面再生のためのメディアデータ２を読み込む。Ｓ４０６で子画面再生が終了かどうか判別する。読み出しデータがなければＳ４０７に移行し、そうでなければＳ４０８に移行する。
【００３７】
Ｓ４０７では子画面再生の読み出しデータ位置を初期値に再設定しＳ４０８に移行する。Ｓ４０８で前記読み出されているメディアデータ１を画像表示する形態にデコード処理と画像処理を行い親画面として画像表示する。Ｓ４０９で前記読み出されているメディアデータ２を画像表示する形態にデコード処理と画像処理をおこない子画面として画像表示する。子画面の画像のリサイズ、親画面と子画面の画像合成はＣＰＵでの処理で画像バッファに展開する手法、または、画像処理回路等を用いる手法が適用できる。
【００３８】
Ｓ４１０で操作キーの停止、あるいは、シーン終了の検出があるかを判定する。終了と判定されれば再生終了処理をして本処理を終了する。そうでなければ、Ｓ４０３に戻り処理を続行する。Ｓ４０３からＳ４１０までの繰り返し処理タイミングは、上記第１の実施形態で説明した手法を用いる。
【００３９】
上記では、図３を再生表示例として、ＬＣＤ、ＥＶＦ等の本体表示器、本体外部入力端子を経由しての外部表示器等、または、本体外部入力端子を経由して、ネットワーク上にある端末や表示装置等に、親子画面として表示する例を示したが、本画面はＬＣＤ、ＥＶＦ等の本体表示器、子画面は本体外部入力端子を経由しての外部表示器、端末、表示装置等に分離表示することも適用できる。または、子画面はＬＣＤ、ＥＶＦ等の本体表示器、本画面は本体外部入力端子を経由しての外部表示器、端末、表示装置等に分離表示することにも適用できる。この時は、子画面はリサイズせずに表示してもよい。
【００４０】
以上のように、本実施形態によれば１つのファイルを通常再生しながら、同じファイルを同時に例えば高速で再生し、合成表示することにより、撮影シーンの全体内容を動画再生画として逐次確認できるようになる。たとえば、選択した再生シーンは、どのようなシーンが含まれているかが視覚的に把握でき、シーン全容の把握が容易になって所望のシーンをより簡単に検索することが可能となる。また、特に民生用ビデオカメラ等では、従来になかった、高付加価値のある機能を提供できる効果がある。
【００４１】
＜第３の実施形態＞
次に、本発明の第３の実施形態について説明する。
本実施形態に係る撮像装置も図１と同様の構成であるため説明は省略する。図７は、本実施形態における画面表示例を示す図であり、同図（１）の５０１ａは選択されたシーンを再生表示する親画面、５０２ｂは前シーンを再生表示する子画面、５０２ｃは後シーンを再生表示する子画面である。同図（２）の５０２ａは選択されたシーンを再生表示する親画面、５０２ｂは前シーンを再生表示する子画面、５０２ｃは第１、第２の実施形態で用いた選択シーンを再生表示する子画面、５０２ｄは後シーンを再生表示する子画面である。
【００４２】
本実施形態の再生表示動作は、選択されたシーンを親画面で再生表示すると同時に、選択されたシーンの前のシーンを子画面として動画再生表示をする。また、同時に、選択されたシーンの後のシーンを子画面として動画再生表示をする。前後のシーンとは、選択されたシーンの直前、直後から、ユーザ設定が設定する所定の間隔のシーンとして設定することも可能である。また、前後とは、時間軸上の前後（タイムスタンプ、記録日時）、シーンをソートしたものの前後、シーンをカテゴリ分類したものの前後などが考えられる。さらに、前後の再生表示シーンは、それぞれ１枚から、複数枚表示することも考えられる。
また、同図（２）の表示例のように、第１、第２の実施形態で用いた選択シーン内の子画面動画再生表示してもよい。上記の前後シーンの子画面再生手法は、第１、第２の実施形態で用いた子画面動画再生表示手法を使用する。
【００４３】
図８は、本実施形態に係る撮像装置１００の動作を示すフローチャートであり、選択されたシーン１の再生が開始され、Ｓ６０１において、再生動作に関する、回路、ソフト等の初期設定がなされる。Ｓ６０２にて、本動作にかかわる諸設定を行う。諸設定は、ユーザが操作キー、および操作パネルを通じて選択設定できる項目であり、・前後各子画面の表示枚数、・選択シーンから各子画面の間隔・各子画面の終了動作方法、・各子画面のサイズ、・各子画面の空間的解像度、・各子画面の時間的解像度、・各子画面の表示位置等である。また、ユーザ設定がなければ、デフォルト値をして値を設定する。Ｓ６０３にて、シーンの親画面表示を行うべく記録媒体からメディアデータ１を読み込む、Ｓ６０４にてシーン終了かどうか判別する。読み出しデータがなければ再生処理終了へ、そうでなければＳ６０５に移行する。
【００４４】
Ｓ６０５で選択シーン１の子画面再生のためのメディアデータ２、前シーン子画面再生のためのメディアデータ３、後シーン子画面再生のためのメディアデータ４を読み込む。Ｓ６０６で各子画面再生が終了かどうか判別する。各子画面のどれか１つの読み出しデータがなければＳ６０７に移行し、そうでなければＳ６０８に移行する。Ｓ６０７では、読み出しデータが無くなった子画面再生の読み出しデータ位置を初期値に再設定しＳ６０８に移行する。
【００４５】
Ｓ６０８で前記読み出されているメディアデータ１を画像表示する形態にデコード処理と画像処理をおこない親画面として画像表示する。Ｓ６０９で前記読み出されているメディアデータ２、３、４を画像表示する形態にデコード処理と画像処理をおこない各子画面として画像表示する。各子画面の画像のリサイズ、親画面と各子画面の画像合成はＣＰＵでの処理で画像バッファに展開する手法、または、画像処理回路等を用いる手法が適用できる。Ｓ６１０で操作キー、操作パネル、表示画面上でのタッチパネルなどの画像指定により、前のシーンあるいは後のシーンが指定されているか判定する。
【００４６】
指定されていればＳ６１１へ、指定されていなければＳ６１２に移行する。指定された場合のＳ６１１では、指定された前あるいは後のシーンと、現在選択再生されているシーン１とを置き換える。これに伴って、置き換えられたシーンを基準に、前後のシーンを決定する。そして、Ｓ６１２において、操作キーの停止、あるいは、シーン終了の検出があるかを判定する。終了と判定されれば再生終了処理して本処理を終了する。そうでなければ、Ｓ６０３に戻り処理を続行する。Ｓ６０３からＳ６１２までの繰り返し処理タイミングは、第１の実施形態で説明した手法を用いる。
【００４７】
上記では、図７を再生表示例として、ＬＣＤ、ＥＶＦ等の本体表示器、本体外部入力端子を経由しての外部表示器等、または、本体外部入力端子を経由して、ネットワーク上にある端末や表示装置等に、親子画面として表示する例を示したが、本画面はＬＣＤ、ＥＶＦ等の本体表示器、子画面は本体外部入力端子を経由しての外部表示器、端末、表示装置等に分離表示することも適用できる。または、子画面はＬＣＤ、ＥＶＦ等の本体表示器、本画面は本体外部入力端子を経由しての外部表示器、端末、表示装置等に分離表示することにも適用できる。この時は、子画面はリサイズせずに表示してもよい。
【００４８】
以上のように、本実施形態によれば１つのファイルを再生しながら、その前及び後（前、後の何れか一方だけでもよい）のファイルを同時に再生し、合成表示することにより、撮影シーンの前後シーンの動画再生画が逐次確認できるようになる。よって、記憶媒体における、現在の再生シーンの前後シーン関係が視覚的に把握でき、各シーンの関連の把握が容易となって所望のシーンをより簡単に検索することが可能となる。また、前後シーンを選択し、現在の選択シーン置き換えることによって、検索操作が向上する。さらに、特に民生用ビデオカメラ等では、従来になかった、高付加価値のある機能を提供できる効果がある。
【００４９】
＜第４の実施形態＞
次に、本発明の第４の実施形態について説明する。
本実施形態に係る撮像装置も図１と同様の構成であるため説明は省略する。図９は本実施形態の再生動作を説明するための図である。同図において、（１）は選択再生されているシーンの再生表示をフィールドもしくはフレーム単位に時間軸で表示している。（２）表示例１は前記（１）の時間軸に対応した再生動作表示例である。（３）表示例２は前記（１）の時間軸に対応した再生動作表示例である。
【００５０】
（１）のシーン再生開始ａ、シーン中間ｂ、シーン終了ｃと随時再生するにあたって（２）での子画面位置が７０１（ａ）、７０１（ｂ）、７０１（ｃ）のように横方向に移動して動画再生表示動作を行う。また、（１）のシーン再生開始ａ、シーン中間ｂ、シーン終了ｃと随時再生するにあたって、（３）での子画面位置が７０２（ａ）、７０２（ｂ）、７０２（ｃ）のように縦方向に移動して動画再生表示動作を行う。この表示の他に、スケール表示、再生位置情報のテキスト表示も合わせて表示することも考えられる。
親画面のシーンに関しては、第１の実施形態等で説明した動作のような親画面、子画面とも同じシーンであっても、別途のシーンとしてもどちらでもよい。
【００５１】
図１０は、本実施形態に係る撮像装置１００の動作を示すフローチャートである。シーン再生が開始され、Ｓ８０１において、再生動作に関する、回路、ソフト等の初期設定がなされる。Ｓ８０２にて、本動作にかかわる諸設定を行う。諸設定は、ユーザが操作キー、および操作パネルを通じて選択設定できる項目であり、・子画面の時間あたりの移動距離、・子画面の移動方向、・子画面の終了動作方法、・子画面のサイズ、・子画面の空間的解像度、・子画面の時間的解像度、・子画面の表示位置、選択する子画面等である。また、親画面とは別のシーンを子画面として指定する場合は、そのシーンを設定する。ユーザ設定がなければ、デフォルト値をして値を設定する。Ｓ８０３にて、シーンの親画面表示を行うべく記録媒体からメディアデータ１を読み込む、Ｓ８０４にてシーン終了かどうか判別する。読み出しデータがなければ再生処理終了へ、そうでなければＳ８０５に移行する。
【００５２】
Ｓ８０５で子画面再生のためのメディアデータ２を読み込む。Ｓ８０６で子画面再生が終了かどうか判別する。読み出しデータがなければＳ５０７に移行し、そうでなければＳ８０８に移行する。Ｓ８０７では子画面再生の読み出しデータ位置を初期値に再設定しＳ８０８に移行する。Ｓ８０８で前記読み出されているメディアデータ１を画像表示する形態にデコード処理と画像処理を行い親画面として画像表示する。
【００５３】
Ｓ８０９において、全シーン長に対する現在の再生シーン時間の割合と、子画面の最大移動距離に対する当該子画面の移動距離の割合とが略一致するような位置を子画面の表示位置として算出する。Ｓ８１０で前記読み出されているメディアデータ２を、画像表示する形態にデコード処理と画像処理をおこない子画面として、前記算出された表示位置に画像表示する。子画面の画像のリサイズ、親画面と子画面の画像合成はＣＰＵでの処理で画像バッファに展開する手法、または、画像処理回路等を用いる手法が適用できる。Ｓ８１１で操作キーの停止、あるいは、シーン終了の検出があるかを判定する。終了と判定されれば再生終了処理をして本処理を終了する。そうでなければ、Ｓ８０３に戻り処理を続行する。Ｓ８０３からＳ８１１の繰り返し処理タイミングは、第１の実施形態で説明した手法を用いる。
【００５４】
以上のように、本実施形態によれば、シーンの再生時間に応じて子画面を移動させることにより、ユーザはその移動距離から現時点の再生の経過時間を視覚的に把握し、シーン全容の把握がつかみやすくなることにより所望のシーンをより簡単に検索することが可能となる。特に民生用ビデオカメラ等では、従来になかった、高付加価値のある機能を提供できる効果がある。
【００５５】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５６】
この場合、記憶媒体から読み出されたプログラムコード自体が前述した実施形態の機能を実現することになり、プログラムコード自体及びそのプログラムコードを記憶した記憶媒体は本発明を構成することになる。
【００５７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５８】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５９】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００６０】
【図１】本発明の一実施形態に係る撮像装置の構成を示すブロック図である。
【図２】円盤状の光磁気ディスク２００の外観図である。
【図３】本発明の一実施形態における再生表示例を示す図である。
【図４】本発明の一実施形態における再生動作を説明するための図である。
【図５】本発明の一実施形態に係る撮像装置の動作を示すフローチャートである。
【図６】本発明の一実施形態における再生動作を説明するための図である。
【図７】本発明の一実施形態における画面表示例を示す図である。
【図８】本発明の一実施形態に係る撮像装置の動作を示すフローチャートである。
【図９】本発明の一実施形態における再生動作を説明するための図である。
【図１０】本発明の一実施形態に係る撮像装置の動作を示すフローチャートである。
【符号の説明】
【００６１】
１００  撮像装置
１０１  レンズ
１０２  固体センサ
１０３、１１１  ＡＤコンバータ
１０４  モータ
１０９  マイク
１１０  マイクアンプ
１１２  操作キー
１１３  表示ドライバ
１１４  表示器
１１５  スピーカドライバ
１１６  スピーカ
１１７  外部入出力端子
１２１  電源
１２２  メモリ
１２３  記録再生制御回路
１２４  センサ
１２５  記録媒体
１３０  ＣＰＵ
３００ａ、５０１ａ、５０２ａ  本画面
３００ｂ、５０１ｂ、５０１ｃ、５０２ｂ、５０２ｃ、５０２ｄ、７０１ａ、７０１ｂ、７０１ｃ、７０２ａ、７０２ｂ、７０２ｃ  子画面
【図１】
2005175525.tif 000003
【図２】
2005175525.tif 000004
【図３】
2005175525.tif 000005
【図４】
2005175525.tif 000006
【図５】
2005175525.tif 000007
【図６】
2005175525.tif 000008
【図７】
2005175525.tif 000009
【図８】
2005175525.tif 000010
【図９】
2005175525.tif 000011
【図１０】
2005175525.tif 000012